(57)【特許請求の範囲】
【請求項１】
各種撮影シーンに応じた撮影パラメータが設定されるシーン選択機能を備えた撮像装置において、
撮影に関する情報を参照して、撮影状況が撮影に適したランク付けをし、撮影条件のよい順にシーン表示項目を並べ替えて、シーン選択メニューを表示させる制御手段を備えたことを特徴とするシーン選択機能を有する撮像装置。
【請求項２】
撮影に関する情報を輝度値としたことを特徴とする請求項１記載のシーン選択機能を有する撮像装置。
【請求項３】
撮影に関する情報を、撮影画面全体あるいは一部の領域におけるＲ，Ｇ，Ｂの各値の平均を取って得られた色データとしたことを特徴とする請求項１記載のシーン選択機能を有する撮像装置。
【請求項４】
撮影に関する情報を、時刻データとしたことを特徴とする請求項１記載のシーン選択機能を有する撮像装置。
【請求項５】
撮影に関する情報を、請求項２記載の輝度値あるいは請求項３記載の色データあるいは請求項４記載の時刻データとを組み合わせたデータとしたことを特徴とする請求項１記載のシーン選択機能を有する撮像装置。
【発明の詳細な説明】
【０００１】
【発明の属する技術分野】
本発明は、各種撮影シーンに応じた撮影パラメータが設定されるシーン選択機能を備えたスチルカメラ，ビデオカメラなどの撮像装置に関するものである。
【０００２】
【従来の技術】
従来より、撮像装置には、ポートレート撮影，遠景撮影，スポーツ撮影などの特定の撮影シーンに適した露光値，シャッタスピードからなる撮影パラメータが、あらかじめカメラの制御部に記録されており、ユーザが選択した撮影シーンに適した設定となるように撮影パラメータなどを自動的に設定するシーン選択機能を持ったもの、あるいは撮影シーンの判定を撮像装置が行い、各種の撮影シーンの選択，設定を自動的に行うものがある。
【０００３】
また、シーン選択機能において、さまざまな撮影シーンに対応するため、多くのシーン選択肢を持つ撮像装置もある。
【０００４】
【発明が解決しようとする課題】
しかしながら、シーン選択機能を有する撮像装置において、設定される撮影シーンの種類が多い場合には、その撮影シーンを選び出すまで時間がかかり、操作が複雑になる上、即写性が失われたり、誤った撮影シーンを選択してしまった場合には撮影に失敗してしまうおそれがある。
【０００５】
また、シーン判定を行いシーン選択を自動で行う撮像装置においては、判定する撮影シーンが多くなれば多くなるほどシーン判別が難しくなり、間違ったシーン判定をする可能性が高くなる。このため、ユーザが選択したい撮影シーンに設定されないという場合があるという問題が生じる。
【０００６】
本発明の目的は、前記従来の課題を解決し、設定する撮影シーンが多い場合でも、シーン選択が行いやすく、かつシーン選択の手間あるいは間違いを軽減することができるようにしたシーン選択機能を有する撮像装置を提供することにある。
【０００７】
【課題を解決するための手段】
前記目的を達成するため、請求項１に記載の発明は、各種撮影シーンに応じた撮影パラメータが設定されるシーン選択機能を備えた撮像装置において、撮影に関する情報を参照して、撮影状況が撮影に適したランク付けをし、撮影条件のよい順にシーン表示項目を並べ替えて、シーン選択メニューを表示させる制御手段を備えたことを特徴とし、この構成によって、良好な撮影が行われる可能性の低い撮影シーンの表示は、シーン選択メニューの下の方に表示させるなど、可能性の高い撮影シーンの順に表示を並べることによってユーザは、可能性の高いシーンからシーン選択を行うようにすることができるため、シーン検索が行いやすくなる。
【０００８】
請求項２に記載の発明は、請求項１記載のシーン選択機能を有する撮像装置において、撮影に関する情報を輝度値としたことを特徴とし、この構成によって、露出不足や露出オーバーになってしまう撮影シーンを選択不可能にするか、あるいは選択順の下位にすることにより、シーン選択をしての撮影の失敗を軽減するとともに、選択できるシーン数として良好な撮影が行われる可能性の高いシーンに絞られるため、あらかじめ用意された撮影シーンの数が多い場合でも、シーン選択の操作が簡単になる。
【０００９】
請求項３に記載の発明は、請求項１記載のシーン選択機能を有する撮像装置において、撮影に関する情報を、撮影画面全体あるいは一部の領域におけるＲ，Ｇ，Ｂの各値の平均を取って得られた色データとしたことを特徴とし、この構成によって、色データを参照することによって適応するシーンの可能性を判断することにより、良好な撮影が行われる可能性の低い撮影シーンを選択禁止にし、選択したシーン設定での撮影の失敗を軽減すると共に、選択できるシーン数が可能性の高いシーンに絞られるため、あらかじめ用意された撮影シーンの数が多い場合でも、シーン選択の操作が簡単になる。
【００１０】
請求項４に記載の発明は、請求項１記載のシーン選択機能を有する撮像装置において、撮影に関する情報を、時刻データとしたことを特徴とし、この構成によって、時刻により撮影シーンの可能性を判断し、良好な撮影が行われる可能性の低いシーンを選択禁止にすることにより、シーン選択の失敗を軽減し、撮影の失敗を減らすことが可能になると共に、選択できるシーン数が絞られ、シーン選択の操作が簡単になる。
【００１１】
請求項５に記載の発明は、請求項１記載のシーン選択機能を有する撮像装置において、撮影に関する情報を、請求項２記載の輝度値あるいは請求項３記載の色データあるいは請求項４記載の時刻データとを組み合わせたデータとしたことを特徴とし、この構成によって、設定しても撮影に失敗する可能性が高いシーン、あるいは良い撮影結果が得られる可能性がほとんどないシーンとする判断がより正確に行われることになる。
【００１２】
【発明の実施の形態】
以下、本発明の好適な実施形態について図面を参照しながら説明する。
【００１３】
図１は本発明の実施形態を説明するためのデジタルカメラの構成を示すブロック図である。
【００１４】
図１において、１はＣＰＵ（中央演算処理部）２の制御によりズームドライバ３およびフォーカスドライバ４を介して駆動される撮影レンズ、５はＣＰＵ（中央演算処理部）２の制御により絞り，シャッタの設定を行うドライバ、６は撮影像を撮影レンズ１，絞りによる開口を経て受光するＣＣＤ（撮像素子）、７はＣＣＤ６からの画像データを受けてデータ処理を行うＣＤＳ，ＡＧＣ，Ａ／Ｄなどからなるデータ処理部、８はデータの処理タイミングをコントロールするタイミング調整部、９はデータ処理部７からの画像データを受けてＲＧＢ，ホワイトバランスなどのデジタルカラー映像信号への処理を行う画像処理部、１０はＪＰＥＧなどのデータ処理を行うデータ圧縮処理部、１１は前記のようにして処理された映像データなどを蓄積するメモリカードである。
【００１５】
さらに、１２は映像データを一時的に記憶するメモリであるＤＲＡＭ、１３は液晶モニタ（ＬＣＤ）、１４はサブＬＣＤ、１５は各種データ，モードの入力／設定するための操作部、１６は電源電池、１７は商用電源に接続するためのＡＣアダプタ、１８は電源電池１６，ＡＣアダプタ１７と各部とを電気的に接続するＤＣ／ＤＣコンバータである。
【００１６】
図２，図３は本実施形態を説明するための参考例の撮影シーン選択制御に係るフローチャートであり、ユーザが電源を投入して、液晶モニタ１３に、図４に示すように表示された記録メニューの中からシーンセレクトモードを「ＯＮ」にして、撮影待機状態（スルー画表示）になった場合にフローがスタートする。
【００１７】
まず、ＣＰＵ２は、撮影時（モニタリング中）の撮影データを取り込む（Ｓ１）。例えば撮影状況が、輝度：ＬＶ１０、色データ：Ｒが１５０、Ｇが１８０、Ｂが８０、時刻：午後３時であったとする。ＣＰＵ２は、前記撮影データを受けて、シーンのテーブルデータを取得して、シーン適合判定を行う（Ｓ２）。このテーブルデータは図１には示されていないがＲＯＭなどに格納されていて、ＣＰＵ２のワークＲＡＭに展開される。
【００１８】
テーブルデータには、図６に示すように、シーンと、そのシーンに適した輝度データ，色情報（撮影画面全体あるいは一部の領域におけるＲ，Ｇ，Ｂの各値の平均を取って得られた色データ），時刻データの範囲があらかじめ設定されて格納されており、例えば、花火モードの場合においては、輝度データがＬＶ１以上ＬＶ４以下に該当しない場合は、撮影に失敗する可能性があるか、良い撮影結果が得られる可能性が低いとされる適合範囲外となる。そしてシーン適合判断として、図３に示すように、前記輝度データと、前記Ｒ，Ｇ，Ｂの各色データと、時刻データとがそれぞれ適合範囲内か否かが判定される。
【００１９】
ＣＰＵ２では、前記シーン適合判断が、撮影シーンのすべてに対して行われ（Ｓ３）、適合しないものは（Ｓ３のＮＯ）、メニューから削除（選択不可）するように記憶する（Ｓ４）。この場合では、適合する撮影シーンは遠景，ポートレート，スポーツの３つになる。残ったシーンが設定可能シーンとなるため、ＣＰＵ２は、シーン設定可能な撮影モード（遠景、ポートレート、スポーツの３つ）として液晶モニタ１３に、図５に示すような選択メニューを表示させる。前記のように設定禁止のシーン（撮影禁止シーン）の表示については選択できないように、例えば図５に示すように取り消し線を引いたり、あるいは半透明で表示したり、表示しないようにする。
【００２０】
ユーザは、現状において設定可能な撮影シーンである遠景、ポートレート、スポーツの３つの中から１つを選択して設定することにより、良好な撮影結果を行うことができる。
【００２１】
図５に示す例は一例であって、他例として、選択可能なシーンを示すアイコンを表示したり、現在選択されている撮影シーン表示のみが液晶モニタ１３の画面に表示され、釦を押すと選択可能な撮影シーン表示がローテーションして選択されるなどの選択表示方法を採用することもできる。
【００２２】
前記選択表示方法では、可能性の低いものは選択禁止にしたが、本発明の実施形態にて説明すように、良好な撮影が行われる可能性の高いと思われる撮影シーン順に選択できるように液晶モニタ１３のメニュー画面における撮影シーン表示の並び順を並び替える方法もある。
【００２３】
図７，図８は本発明の実施形態の撮影シーン選択制御に係るフローチャートであり、参考例と同様に、ユーザが電源を投入して、液晶モニタ１３に、図４に示すように表示された記録メニューの中からシーンセレクトモードを「ＯＮ」にして、撮影待機状態（スルー画表示）になった場合にフローがスタートする。
【００２４】
まず、ＣＰＵ２は、撮影時（モニタリング中）の撮影データを取り込む（Ｓ１１）。例えば撮影状況が、輝度：ＬＶ９、時刻:午後３時であったとする。ＣＰＵ２は、前記撮影データを受けて、図９，図１０に示すシーンのテーブルデータを取得して、シーン得点算出を行う（Ｓ１２）。
【００２５】
シーン得点算出のテーブルデータとしては、図９，図１０に示すように、輝度データ（図９），時刻データ（図１０）に応じて、撮影シーンごとに点数を付けているものであり、図９において、例えばＬＶ７の場合は、点数の高い遠景，ポートレート，スポーツがシーン選択画面が状況にふさわしいと思われる撮影シーンになり、点数の低い花火あるいは夜景モードは状況にふさわしくない撮影シーンとされる。そして、図１０における時刻データに基づく点数と図９における点数との合計により、点数の高い順に撮影状況にふさわしい撮影シーンと判断される。
【００２６】
したがって、シーン得点算出のステップ（Ｓ１２）では、ＣＰＵ２が、図８に示すように、図９のテーブルデータからの輝度データに対する点数と、図１０のテーブルデータからの時刻データに対する点数とを読み出して合算し、全てのシーン（花火，夜景，青空などの撮影シーン）ごとに合算値を算出して記憶する（Ｓ１３）。そして、全シーンに対する合計点数算出が終了すると、ＣＰＵ２は、点数ごとにシーン表示の並び換え処理を行い、液晶モニタ１３に並べ換えられた順に選択メニューを表示させる（Ｓ１４）。
【００２７】
ステップ（Ｓ１１）の場合であると、ポートレート（１０点），遠景（１０点），スポーツ（１０点），青空（９点），夕焼け（７点），夜景（１点），花火（０点）の順になるため、メニュー表示はこの順序に設定され、図１１に示すようなメニュー表示が液晶モニタ１３に表示されることになる。
【００２８】
なお、本実施形態において、輝度データあるいは時刻データの取得を一定時間周期で行い、それに応じてメニューに表示されるシーン表示の順番を随時入れ換えるようにするとよい。
【００２９】
また、本実施形態において、色データについても前記と同様に撮影シーンに対応させて点数を付けるようにし、シーン表示の並び換えのためのデータの１つとすることも考えられる。
【００３０】
このように本実施形態では、撮影シーンの選択において、状況として良好な撮影が行える可能性の高いシーンから順にメニュー表示することにより、ユーザにとってシーン選択時の操作が行いやすくなり、またシーン選択のミスを軽減させることができるようになる。
【００３１】
【発明の効果】
以上説明したように、本発明のシーン選択機能を有する撮像装置によれば、良好な撮影が行われる可能性の低い撮影シーンの表示を、シーン選択メニューの下の方に表示させることによって、ユーザにとって、選択できる撮影シーンが絞られ、シーン検索が行いやすくなり、選択肢としての撮影シーンの数が多くても、シーン選択の操作が簡単になる。
【図面の簡単な説明】
【図１】本発明の実施形態を説明するためのデジタルカメラの構成を示すブロック図
【図２】本実施形態を説明するための参考例の撮影シーン選択制御に係るフローチャート
【図３】本参考例の撮影シーン選択制御におけるシーン適合判定に係るフローチャート
【図４】本参考例における記録メニューの表示例を示す図
【図５】本参考例における選択メニューの表示例を示す図
【図６】本参考例に用いられるシーン適合判定用のテーブルデータにおける内容の説明図
【図７】本発明の実施形態の撮影シーン選択制御に係るフローチャート
【図８】本発明の実施形態の撮影シーン選択制御におけるシーン得点算出に係るフローチャート
【図９】本実施形態に用いられるシーン得点算出用のテーブルデータ（輝度データ）における内容の説明図
【図１０】本実施形態に用いられるシーン得点算出用のテーブルデータ（時刻データ）における内容の説明図
【図１１】本実施形態における液晶モニタのメニュー表示例の説明図
【符号の説明】
１ 撮影レンズ
２ ＣＰＵ
７ データ処理部
９ 画像処理部
１３ 液晶モニタ
【図１】
0003948652.tif 000002
【図２】
0003948652.tif 000003
【図３】
0003948652.tif 000004
【図４】
0003948652.tif 000005
【図５】
0003948652.tif 000006
【図６】
0003948652.tif 000007
【図７】
0003948652.tif 000008
【図８】
0003948652.tif 000009
【図９】
0003948652.tif 000010
【図１０】
0003948652.tif 000011
【図１１】
0003948652.tif 000012